(57)【要約】【課題】部品が共通化できる両面プリント基板に実装するカード用コネクタを提供する。【解決手段】第１及び第２ハウジング１・２は、第１傾斜面１５ａ及び第２段差１６ｂを一方の端部に設け、第１段差１５ｂ及び第２傾斜面１６ａを他方の端部に設ける一対のクランク状の鉤形突起１７をそれらの両側面に有する。第１及び第２カバー板５・６は、第１段差１５ｂ又は第２段差１６ｂに係止する係止辺５５ｂを設け、第１傾斜面１５ａ又は第２傾斜面１６ａを逃げるクランク状の鉤形開口５７をそれらの両翼片に有する。第１カバー板５の左右を反転して、第２ハウジング２に結合できる。第２カバー板６の左右を反転して、第１ハウジング１に結合できる。第１及び第２ハウジング１・２と第１及び第２カバー板５・６とを共通部品にできる。【選択図】図２
2010123482.tif 000002
【特許請求の範囲】
【請求項１】
プリント基板の一方の面の端部に実装してカードを挿入可能な第１スロットを有する第１コネクタ、及び前記プリント基板の他方の面の端部に実装してカードを挿入可能な第２スロットを有する第２コネクタを備え、前記プリント基板を間にして前記第１スロットと前記第２スロットとが略同一面上に配置されるカード用コネクタであって、
前記第１コネクタは、カードを収容する平板状の第１ハウジングと、この第１ハウジングの基端部に配置してカードに設けた端子と接続する第１コンタクト群と、前記第１ハウジングの一方の面、及び当該第１ハウジングの両側面を覆う第１カバー板と、を有し、
前記第２コネクタは、カードを収容する平板状の第２ハウジングと、この第２ハウジングの基端部に配置してカードに設けた端子と接続する第２コンタクト群と、前記第２ハウジングの他方の面、及び当該第２ハウジングの両側面を覆う第２カバー板と、を有し、
前記第１ハウジングと前記第２ハウジング、前記第１コンタクト群と前記第２コンタクト群、及び前記第１カバー板と前記第２カバー板は、同じ部品又は部品群からなり、
前記第１ハウジング及び前記第２ハウジングは、
それらの両側面から隆起する第１突起であって、一方の方向に向かう第１傾斜面を一方の端部に設け、他方の方向に向かう第１段差を他方の端部に設ける一対の第１突起と、
それらの両側面から隆起する第２突起であって、一方の方向に向かう第２段差を前記第１傾斜面より後方となるように一方の端部に設け、他方の方向に向かう第２傾斜面を前記第１段差より前方となるように他方の端部に設ける一対の第２突起と、を有し、
前記第１カバー板及び前記第２カバー板は、
それらの両翼片に開口されて、前記第１段差又は前記第２段差に係止する係止辺を設けると共に、前記第１段差が当該係止辺に係止するときは前記第１傾斜面を逃げ、前記第２段差が当該係止辺に係止するときは前記第２傾斜面を逃げる逃げ部を設ける一対の第１開口と、
それらの両翼片に開口されて、一方の前記第１開口が前記第１段差に係止するときは一方の前記第２突起を逃げ、他方の前記第１開口が前記第２段差に係止するときは他方の前記第２突起を逃げる一対の第２開口と、を有するカード用コネクタ。
【請求項２】
前記第１突起と前記第２突起とが隣接すると共に、前記第１開口と前記第２開口と連通している請求項１記載のカード用コネクタ。
【請求項３】
プリント基板の一方の面の端部に実装してカードを挿入可能な第１スロットを有する第１コネクタ、及び前記プリント基板の他方の面の端部に実装してカードを挿入可能な第２スロットを有する第２コネクタを備え、前記プリント基板を間にして前記第１スロットと前記第２スロットとが略同一面上に配置されるカード用コネクタであって、
前記第１コネクタは、カードを収容する平板状の第１ハウジングと、この第１ハウジングの基端部に配置してカードに設けた端子と接続する第１コンタクト群と、前記第１ハウジングの一方の面、及び当該第１ハウジングの両側面を覆う第１カバー板と、を有し、
前記第２コネクタは、カードを収容する平板状の第２ハウジングと、この第２ハウジングの基端部に配置してカードに設けた端子と接続する第２コンタクト群と、前記第２ハウジングの他方の面、及び当該第２ハウジングの両側面を覆う第２カバー板と、を有し、
前記第１ハウジングと前記第２ハウジング、前記第１コンタクト群と前記第２コンタクト群、及び前記第１カバー板と前記第２カバー板は、同じ部品又は部品群からなり、
前記第１ハウジング及び前記第２ハウジングは、それらの両側面から隆起するＨ字状の第３突起であって、相反する向きに向かう一対の第３段差を中央部に設け、相反する向きに向かう一対一組の第３傾斜面を前記第３段差より前方となるように当該第３段差の両翼に設ける一対の第３突起を有し、
前記第１カバー板及び前記第２カバー板は、それらの両翼片に開口されたＨ字状の第３開口であって、前記第３突起のいずれか一方の第３段差に係止する係止片を中央部に設けると共に、前記第３突起の一対の第３傾斜面を逃げる一対の凹部を係止片の両翼に設ける一対の第３開口を有するカード用コネクタ。
【請求項４】
前記第１コネクタは、前記第１カバー板に連結して、カードを排出可能な第１イジェクト機構を含み、
前記第２コネクタは、前記第２カバー板に連結して、カードを排出可能な第２イジェクト機構を含み、
前記第１イジェクト機構と前記第２イジェクト機構は、同じ部品群からなる請求項１から３のいずれかに記載のカード用コネクタ。
【請求項５】
前記第１カバー板及び前記第２カバー板は、前記プリント基板にはんだ接合される複数のリード端子を両翼片に有する請求項１から４のいずれかに記載のカード用コネクタ。
【発明の詳細な説明】
【技術分野】
【０００１】
本発明は、カード用コネクタに関する。特に、プリント基板の両面に実装可能なカード用コネクタの構造に関する。
【背景技術】
【０００２】
近年では、上下にメモリカードを装着できる上下２段のドライブ装置を有するメモリカードドライブ装置が実用化している。そして、組付脚を用いて上下ドライブ装置を組み付け、同時に上下２段のメモリカードドライブ装置をプリント基板上に実装するメモリカードドライブ装置が開示されている（例えば、特許文献１参照）。
【０００３】
特許文献１によるメモリカードドライブ装置は、上下２段のドライブ装置を備えている。これら上下のドライブ装置は、各々がメモリカード装着空間を有する一組のシェルを有している。又、これらのドライブ装置は、各メモリカード装着空間内に装着されたメモリカードの導体に接続する一組の電気コネクタを有している。
【０００４】
更に、これらのドライブ装置は、一組の電気コネクタに設ける各端子と、各端子に嵌合接続したメモリカードを外脱するイジェクト機構を有している。
【０００５】
これらのドライブ装置は、各々個々独立にドライブ可能であり、この別体であって個々独立して機能する上下ドライブ装置を上下２段に組付けるに当り、上下２段のメモリカードドライブ装置をプリント基板に実装する一対の組付脚を用いて上下２段に組付けて２段構成としている。
【０００６】
一対の組付脚は、上下ドライブ装置の各シェルに形成された一対の係合片間を差込み式にて橋渡しできる組付片と、この組付片に対し一体に連なり、かつ水平に形成されていてプリント基板に座す脚板により構成している。
【０００７】
特許文献１によるメモリカードドライブ装置は、メモリカードを上下に装着できると共に、上下に各々メモリカードを装着するのに代えて、上下の間に一つのハードディスクを装着できる構成となっている。
【特許文献１】特開平７−３０２６４５号公報
【発明の開示】
【発明が解決しようとする課題】
【０００８】
特許文献１によるメモリカードドライブ装置は、上下ドライブ装置の間に介在する中継プリント基板と、その中継プリント基板に実装された中継用電気コネクタを有している。この中継用電気コネクタが上下２段のメモリカードドライブ装置を実装するプリント基板に接続されている。
【０００９】
ここで、メモリカードの導体に接続する一組の電気コネクタをプリント基板の両面に直接、表面実装できるように構成すれば、中継プリント基板、中継用電気コネクタ、一対の組付脚を不要として構成を簡易できる。
【００１０】
カードが挿入される凹部を設けるハウジングと、この凹部を覆うカバー（シェル）と、カードの導体に接続するコンタクトと、カバーに設けるイジェクト機構と、を備えるカード用コネクタであって、一方のカード用コネクタをプリント基板の一方の面に実装し、他方のカード用コネクタをプリント基板の他方の面に実装することにより、構成が簡易な２段のカード用コネクタを実現できる。
【００１１】
ハウジング、カバー、コンタクト、及びイジェクト機構の各構成品の取付穴や嵌合形状を工夫することにより、これら構成品の組み立て方を変えるだけで、カード及びイジェクトボタンが同じ向きに並び、かつ、プリント基板の両面に実装可能なカード用コネクタを実現できる。
【００１２】
図１０は、従来技術によるカード用コネクタの部分拡大斜視図であり、図１０（Ａ）は、カバーとハウジングが結合する前の状態図、図１０（Ａ）は、カバーとハウジングが結合した状態図である。なお、図１０は、プリント基板の一方の面に実装するカード用コネクタを示している。
【００１３】
図１１は、従来技術によるカード用コネクタの部分拡大斜視図であり、図１１（Ａ）は、カバーとハウジングが結合する前の状態図、図１１（Ａ）は、カバーとハウジングが結合した状態図である。なお、図１１は、プリント基板の他方の面に実装するカード用コネクタを示している。
【００１４】
図１０を参照すると、カード用コネクタ８は、プリント基板１ｐの一方の面１１ｐに実装している。カード用コネクタ８は、ハウジング８１とカバー８２を備えている。ハウジング８１は、カード（図示せず）が挿入される凹部８０を設けている。カバー８２は、凹部８０を覆っている。
【００１５】
図１０を参照すると、ハウジング８１は、両側面から隆起する四角柱状の突起（ディテント）８１ａを有している。突起８１ａは、一方の端部に傾斜面８１１を設け、他方の端部に段差８１２を設けている。
【００１６】
一方、図１０を参照すると、カバー８２は、矩形の開口（インデント）８２ａとリード端子８２ｂを両翼に有している。開口８２ａは、突起８１ａに嵌合できる。リード端子８２ｂは、プリント基板１ｐに設けられたスルーホール１ｔに挿入されて、はんだ接合される。
【００１７】
図１０において、カバー８２をハウジング８１に向かって挿入すると、カバー８２の両翼が突起８１ａの傾斜面８１１で押し広げられる。カバー８２をハウジング８１に完全に挿入すると、開口８２ａが突起８１ａの段差８１２に係止される。そして、リード端子８２ｂをプリント基板１ｐにはんだ接合することにより、カード用コネクタ８は、プリント基板１ｐの一方の面１１ｐに実装（固定）される。
【００１８】
図１１において、カード用コネクタ９は、プリント基板１ｐの他方の面１２ｐに実装している（図１０参照）。カード用コネクタ９は、ハウジング９１とカバー９２を備えている。ハウジング９１は、カード（図示せず）が挿入される凹部９０を設けている。カバー９２は、凹部９０を覆っている。
【００１９】
図１１を参照すると、ハウジング９１は、両側面から隆起する四角柱状の突起（ディテント）９１ａを有している。突起９１ａは、一方の端部に傾斜面９１１を設け、他方の端部に段差９１２を設けている。
【００２０】
一方、図１１を参照すると、カバー９２は、矩形の開口（インデント）９２ａとリード端子９２ｂを両翼に有している。開口９２ａは、突起９１ａに嵌合できる。リード端子９２ｂは、プリント基板１ｐに設けられたスルーホール１ｔに挿入されて、はんだ接合される（図１０参照）。
【００２１】
図１１において、カバー９２をハウジング９１に向かって挿入すると、カバー９２の両翼が突起９１ａの傾斜面９１１で押し広げられる。カバー９２をハウジング９１に完全に挿入すると、開口９２ａが突起９１ａの段差９１２に係止される。そして、リード端子９２ｂをプリント基板１ｐにはんだ接合することにより、カード用コネクタ９は、プリント基板１ｐの他方の面１２ｐに実装（固定）される（図１０参照）。
【００２２】
図１０と図１１を対比すると、カバー８２の左右を反転すれば、カバー９２となってプリント基板１ｐに実装可能なことが理解できる。つまり、カバー８２とカバー９２とは、共通の部品であることが理解できる。
【００２３】
しかし、図１０と図１１を対比すると、突起８１ａと突起９１ａとは、傾斜面と段差の関係が逆になっているので、カバー８２とカバー９２とを共通化できても、ハウジング８１とハウジング９１を共通の部品とすることが困難である。そして、ハウジングとカバーの結合構造がハウジングを共通化する上での障害となっていた。
【００２４】
カード又はイジェクトボタンが同じ向きに並び、かつ、プリント基板の両面に実装可能なカード用コネクタにおいて、ハウジング及びカバーが共通部品となるように、ハウジングとカバーの結合構造を構築できれば、異なる部品が削減されて、製造原価の低減に寄与できる。そして、以上のことが本発明の課題といってよい。
【００２５】
本発明は、このような問題に鑑みてなされたものであり、プリント基板の両面に実装可能なカード用コネクタであって、構成部品の共通化が可能なカード用コネクタを提供することを目的とする。
【課題を解決するための手段】
【００２６】
本発明者は、ハウジングとカバーの結合構造において、ハウジングの両側面に設ける突起（ディテント）及びカバーの両翼に設ける開口（インデント）の各形状を創案することにより、上記の課題が解決可能なことを見出し、これに基づいて、以下のような新たなカード用コネクタを発明するに至った。
【００２７】
（１）  プリント基板の一方の面の端部に実装してカードを挿入可能な第１スロットを有する第１コネクタ、及び前記プリント基板の他方の面の端部に実装してカードを挿入可能な第２スロットを有する第２コネクタを備え、前記プリント基板を間にして前記第１スロットと前記第２スロットとが略同一面上に配置されるカード用コネクタであって、前記第１コネクタは、カードを収容する平板状の第１ハウジングと、この第１ハウジングの基端部に配置してカードに設けた端子と接続する第１コンタクト群と、前記第１ハウジングの一方の面、及び当該第１ハウジングの両側面を覆う第１カバー板と、を有し、前記第２コネクタは、カードを収容する平板状の第２ハウジングと、この第２ハウジングの基端部に配置してカードに設けた端子と接続する第２コンタクト群と、前記第２ハウジングの他方の面、及び当該第２ハウジングの両側面を覆う第２カバー板と、を有し、前記第１ハウジングと前記第２ハウジング、前記第１コンタクト群と前記第２コンタクト群、及び前記第１カバー板と前記第２カバー板は、同じ部品又は部品群からなり、前記第１ハウジング及び前記第２ハウジングは、それらの両側面から隆起する第１突起であって、一方の方向に向かう第１傾斜面を一方の端部に設け、他方の方向に向かう第１段差を他方の端部に設ける一対の第１突起と、それらの両側面から隆起する第２突起であって、一方の方向に向かう第２段差を前記第１傾斜面より後方となるように一方の端部に設け、他方の方向に向かう第２傾斜面を前記第１段差より前方となるように他方の端部に設ける一対の第２突起と、を有し、前記第１カバー板及び前記第２カバー板は、それらの両翼片に開口されて、前記第１段差又は前記第２段差に係止する係止辺を設けると共に、前記第１段差が当該係止辺に係止するときは前記第１傾斜面を逃げ、前記第２段差が当該係止辺に係止するときは前記第２傾斜面を逃げる逃げ部を設ける一対の第１開口と、それらの両翼片に開口されて、一方の前記第１開口が前記第１段差に係止するときは一方の前記第２突起を逃げ、他方の前記第１開口が前記第２段差に係止するときは他方の前記第２突起を逃げる一対の第２開口と、を有するカード用コネクタ。
【００２８】
（１）の発明によるカード用コネクタは、第１コネクタ、及び第２コネクタを備えている。第１コネクタは、プリント基板の一方の面の端部に実装しており、カードを挿入可能な第１スロットを有している。第２コネクタは、プリント基板の他方の面の端部に実装しており、カードを挿入可能な第２スロットを有している。そして、プリント基板を間にして、第１スロットと第２スロットとが略同一面上に配置されている。
【００２９】
第１コネクタは、平板状の第１ハウジング、第１コンタクト群、及び第１カバー板を有している。第１ハウジングは、カードを収容できる。第１コンタクト群は、第１ハウジングの基端部に配置しており、カードに設けた端子と接続する。第１カバー板は、第１ハウジングの一方の面、及び第１ハウジングの両側面を覆っている。
【００３０】
第２コネクタは、平板状の第２ハウジング、第２コンタクト群、及び第２カバー板を有している。第２ハウジングは、カードを収容できる。第２コンタクト群は、第１ハウジングの基端部に配置しており、カードに設けた端子と接続する。第１カバー板は、第２ハウジングの他方の面、及び第２ハウジングの両側面を覆っている。
【００３１】
そして、第１ハウジングと第２ハウジング、第１コンタクト群と第２コンタクト群、及び第１カバー板と第２カバー板は、同じ部品又は部品群からなっている。
【００３２】
第１ハウジング及び第２ハウジングは、それらの両側面から隆起する一対の第１突起及び一対の第２突起を有している。
【００３３】
第１突起は、一方の方向に向かう第１傾斜面を一方の端部に設け、他方の方向に向かう第１段差を他方の端部に設けている。第２突起は、一方の方向に向かう第２段差を第１傾斜面より後方となるように、一方の端部に設けている。又、第２突起は、他方の方向に向かう第２傾斜面を第１段差より前方となるように、他方の端部に設けている。
【００３４】
第１カバー板及び第２カバー板は、それらの両翼片に開口される一対の第１開口と一対の第２開口を有している。
【００３５】
第１開口は、第１段差又は第２段差に係止する係止辺を設けると共に、第１段差が係止辺に係止するときは第１傾斜面を逃げ、第２段差が係止辺に係止するときは第２傾斜面を逃げる逃げ部を設けている。
【００３６】
第２開口は、一方の第１開口が第１段差に係止するときは一方の第２突起を逃げ、他方の第１開口が第２段差に係止するときは他方の第２突起を逃げている。
【００３７】
ここで、第１ハウジング及び第２ハウジングは、絶縁性を有している。絶縁性のハウジングとは、非導電性の材料からなるハウジングのことであってよく、合成樹脂を成形して、所望の形状の絶縁性のハウジングを得ることができる。
【００３８】
例えば、第１ハウジング及び第２ハウジングは、基端部から先端部に向かって略平行に延びる一対のアームと、これら一対のアームの基端部同士を連結する連結部と、を有してよく、一対のアームには、互いに対向しかつ先端部から基端部に至る溝を設けてよく、これらの溝にカードの両翼が案内されて、カードを第１ハウジング又は第２ハウジングに収容できる。
【００３９】
第１コンタクト群及び第２コンタクト群は、第１ハウジング及び第２ハウジングの基端部に圧入又はモールディング（一体成型）により固定してよく、コンタクトの一端がカードの端子（電気端子）に接触してよく、コンタクトの他端がプリント基板にはんだ接合されることが好ましい。コンタクトの他端は、プリント基板に無はんだ接続されてもよい。
【００４０】
コンタクトは、ピンコンタクトであってよく、ソケットコンタクトであってよく、カンチレバーコンタクトなどのばね性を有する板コンタクトであってもよい。カードに設けられた端子の種別に対応して、適宜なコンタクトが選択される。
【００４１】
第１カバー板及び第２カバー板は、例えば、金属薄板からなり、展開された金属薄板を成形加工することにより、所望の形状のカバー板を得ることができる。カバー板は、導電性の金属薄板からなることが好ましく、カバー板の平坦面がハウジングを覆うことによりシールド効果が得られる。
【００４２】
第１カバー板及び第２カバー板は、これらの両翼が直角に折り曲げ加工されて、一対の両翼片を形成してよく、これらの両翼片に第１開口を形成し、ハウジングの両側面に突出する第１突起又は第２突起に係止できる。ここで、第１開口は、第１カバー板又は第２カバー板の挿入方向に対応して、ランスとして機能する。又、これらの両翼片に第２開口を形成し、第１突起又は第２突起を逃げることができる。
【００４３】
そして、第１カバー板を第１ハウジングに取り付けて、第１スロットを構成してよく、第２カバー板を第２ハウジングに取り付けて、第２スロットを構成できる。第１スロットと第２スロットは、プリント基板を間にして上下２段に取り付けてよく、プリント基板を間にして左右に取り付けてもよい。
【００４４】
第１カバー板を第１ハウジングの一方の方向に向けて移動すると、第１カバー板の両翼片の端縁が第１傾斜面及び第２傾斜面により押し広げられる。第１カバー板を更に移動すると、一対の係止辺が第１段差及び第２段差に係止できる。この状態では、一対の第２開口は、第１突起又は第２突起を逃げているので、第１カバー板の両翼片は、初期の状態に復帰できる。
【００４５】
一方、第２カバー板を第２ハウジングの他方の方向に向けて移動すると、第２カバー板の両翼片の端縁が第１傾斜面及び第２傾斜面により押し広げられる。第２カバー板を更に移動すると、一対の第２辺が第１段差及び第２段差に係止できる。この状態では、一対の第１開口は、第１突起又は第２突起を逃げているので、第２カバー板の両翼片は、初期の状態に復帰できる。
【００４６】
このように、（１）の発明によるカード用コネクタは、プリント基板の両面に実装可能なカード用コネクタであって、第１及び第２ハウジング、第１及び第２コンタクト群、及び第１及び第２カバー板は、同じ部品又は部品群からなっている。
【００４７】
（１）の発明によるカード用コネクタは、第１カバー板の左右を反転して、第２ハウジングに結合できる。一方、第２カバー板の左右を反転して、第１ハウジングに結合できる。第１及び第２ハウジングと第１及び第２カバー板とを共通部品とすることができる。つまり、ハウジング及びカバーが共通部品となるように、ハウジングとカバーの結合構造を構築できる。
【００４８】
（２）  前記第１突起と前記第２突起とが隣接すると共に、前記第１開口と前記第２開口と連通している（１）記載のカード用コネクタ。
【００４９】
（２）の発明によるカード用コネクタは、第１突起と第２突起とが隣接して、クランク状の鉤形に一体に合成されてよく、第１開口と第２開口と連通して、クランク状の鉤形に一体に開口される。
【００５０】
（３）  プリント基板の一方の面の端部に実装してカードを挿入可能な第１スロットを有する第１コネクタ、及び前記プリント基板の他方の面の端部に実装してカードを挿入可能な第２スロットを有する第２コネクタを備え、前記プリント基板を間にして前記第１スロットと前記第２スロットとが略同一面上に配置されるカード用コネクタであって、前記第１コネクタは、カードを収容する平板状の第１ハウジングと、この第１ハウジングの基端部に配置してカードに設けた端子と接続する第１コンタクト群と、前記第１ハウジングの一方の面、及び当該第１ハウジングの両側面を覆う第１カバー板と、を有し、前記第２コネクタは、カードを収容する平板状の第２ハウジングと、この第２ハウジングの基端部に配置してカードに設けた端子と接続する第２コンタクト群と、前記第２ハウジングの他方の面、及び当該第２ハウジングの両側面を覆う第２カバー板と、を有し、前記第１ハウジングと前記第２ハウジング、前記第１コンタクト群と前記第２コンタクト群、及び前記第１カバー板と前記第２カバー板は、同じ部品又は部品群からなり、前記第１ハウジング及び前記第２ハウジングは、それらの両側面から隆起するＨ字状の第３突起であって、相反する向きに向かう一対の第３段差を中央部に設け、相反する向きに向かう一対一組の第３傾斜面を前記第３段差より前方となるように当該第３段差の両翼に設ける一対の第３突起を有し、前記第１カバー板及び前記第２カバー板は、それらの両翼片に開口されたＨ字状の第３開口であって、前記第３突起のいずれか一方の第３段差に係止する係止片を中央部に設けると共に、前記第３突起の一対の第３傾斜面を逃げる一対の凹部を係止片の両翼に設ける一対の第３開口を有するカード用コネクタ。
【００５１】
（３）の発明によるカード用コネクタは、第１コネクタ、及び第２コネクタを備えている。第１コネクタは、プリント基板の一方の面の端部に実装しており、カードを挿入可能な第１スロットを有している。第２コネクタは、プリント基板の他方の面の端部に実装しており、カードを挿入可能な第２スロットを有している。そして、プリント基板を間にして、第１スロットと第２スロットとが略同一面上に配置されている。
【００５２】
第１コネクタは、平板状の第１ハウジング、第１コンタクト群、及び第１カバー板を有している。第１ハウジングは、カードを収容できる。第１コンタクト群は、第１ハウジングの基端部に配置しており、カードに設けた端子と接続する。第１カバー板は、第１ハウジングの一方の面、及び第１ハウジングの両側面を覆っている。
【００５３】
第２コネクタは、平板状の第２ハウジング、第２コンタクト群、及び第２カバー板を有している。第２ハウジングは、カードを収容できる。第２コンタクト群は、第２ハウジングの基端部に配置しており、カードに設けた端子と接続する。第２カバー板は、第２ハウジングの他方の面、及び第２ハウジングの両側面を覆っている。
【００５４】
そして、第１ハウジングと第２ハウジング、第１コンタクト群と第２コンタクト群、及び第１カバー板と第２カバー板は、同じ部品又は部品群からなっている。
【００５５】
第１ハウジング及び第２ハウジングは、それらの両側面から隆起する一対のＨ字状の第３突起を有している。第３突起は、相反する向きに向かう一対の第３段差を中央部に設け、相反する向きに向かう一対一組の第３傾斜面を第３段差より前方となるように第３段差の両翼に設けている。
【００５６】
第１カバー板及び第２カバー板は、それらの両翼片に開口された一対のＨ字状の第３開口を有している。第３開口は、第３突起のいずれか一方の第３段差に係止する係止片を中央部に設けている。又、第３開口は、第３突起の一対の第３傾斜面を逃げる一対の凹部を係止片の両翼に設けている。
【００５７】
第１カバー板及び第２カバー板は、これらの両翼が直角に折り曲げ加工されて、一対の両翼片を形成してよく、これらの両翼片に第３開口を形成し、ハウジングの両側面に突出する第３突起に係止できる。ここで、第３開口の係止片は、第１カバー板又は第２カバー板の挿入方向に対応して、ランスとして機能する。
【００５８】
そして、第１カバー板を第１ハウジングに取り付けて、第１スロットを構成してよく、第２カバー板を第２ハウジングに取り付けて、第２スロットを構成できる。第１スロットと第２スロットは、プリント基板を間にして上下２段に取り付けてよく、プリント基板を間にして左右に取り付けてもよい。
【００５９】
第１カバー板を第１ハウジングの一方の方向に向けて移動すると、第１カバー板の両翼片の端縁が一方の一組の第３傾斜面により押し広げられる。第１カバー板を更に移動すると、一対の係止片が一対の第３段差に係止できる。この状態では、一対の凹部は、一対の第３突起を逃げているので、第１カバー板の両翼片は、初期の状態に復帰できる。
【００６０】
一方、第２カバー板を第２ハウジングの他方の方向に向けて移動すると、第２カバー板の両翼片の端縁が他方の一組の第３傾斜面により押し広げられる。第２カバー板を更に移動すると、一対の係止片が一対の第３段差に係止できる。この状態では、一対の凹部は、一対の第３突起を逃げているので、第２カバー板の両翼片は、初期の状態に復帰できる。
【００６１】
このように、（３）の発明によるカード用コネクタは、プリント基板の両面に実装可能なカード用コネクタであって、第１及び第２ハウジング、第１及び第２コンタクト群、及び第１及び第２カバー板は、同じ部品又は部品群からなっている。
【００６２】
（３）の発明によるカード用コネクタは、第１カバー板の左右を反転して、第２ハウジングに結合できる。一方、第２カバー板の左右を反転して、第１ハウジングに結合できる。第１及び第２ハウジングと第１及び第２カバー板とを共通部品とすることができる。つまり、ハウジング及びカバーが共通部品となるように、ハウジングとカバーの結合構造を構築できる。
【００６３】
（４）  前記第１コネクタは、前記第１カバー板に連結して、カードを排出可能な第１イジェクト機構を含み、前記第２コネクタは、前記第２カバー板に連結して、カードを排出可能な第２イジェクト機構を含み、前記第１イジェクト機構と前記第２イジェクト機構は、同じ部品群からなる（１）から（３）のいずれかに記載のカード用コネクタ。
【００６４】
（４）の発明によるカード用コネクタは、第１コネクタが第１イジェクト機構を含んでいる。第１イジェクト機構は、第１カバー板に連結しており、カードを排出可能となっている。又、（４）の発明によるカード用コネクタは、第２コネクタが第２イジェクト機構を含んでいる。第２イジェクト機構は、第２カバー板に連結しており、カードを排出可能となっている。そして、第１イジェクト機構と第２イジェクト機構は、同じ部品群からなっている。
【００６５】
第１イジェクト機構及び第２イジェクト機構は、てこ式のリンク機構を用いることが好ましく、第１スロット及び第２スロットにそれぞれ隣接するイジェクトボタンを押すことにより、カードが排出されるリンク機構とすることが好ましい。第１イジェクト機構及び第２イジェクト機構は、第１カバー板又は第２カバー板の片翼に取り付けられることが好ましい。ここで、第１イジェクト機構と第２イジェクト機構とは、互い独立して運動できる。
【００６６】
（４）の発明によるカード用コネクタは、プリント基板の両面に実装可能なカード用コネクタにおいて、イジェクトボタンを同じ向きに並べることができる。
【００６７】
（５）  前記第１カバー板及び前記第２カバー板は、前記プリント基板にはんだ接合される複数のリード端子を両翼片に有する（１）から（４）のいずれかに記載のカード用コネクタ。
【００６８】
（５）の発明によるカード用コネクタは、複数のリード端子をプリント基板にはんだ接合することにより、一組のカード用コネクタをプリント基板の両面に実装できる。
【発明の効果】
【００６９】
本発明によるカード用コネクタは、プリント基板の両面に実装可能なカード用コネクタであって、第１及び第２ハウジング、第１及び第２コンタクト群、及び第１及び第２カバー板は、同じ部品又は部品群からなっている。
【００７０】
本発明によるカード用コネクタは、ハウジングとカバーの結合構造において、ハウジングの両側面に設ける突起（ディテント）及びカバーの両翼に設ける開口（インデント）の各形状をクランク状の鉤形、又はＨ字状の形状とすることにより、構成部品の共通化が可能なカード用コネクタを実現できる。
【発明を実施するための最良の形態】
【００７１】
以下、図面を参照して本発明を実施するための最良の形態を説明する。
【００７２】
図１は、本発明によるカード用コネクタ（以下、コネクタと略称する）の第１実施形態を示す斜視図であり、カードが装着された状態図である。図２は、前記第１実施形態によるコネクタの斜視分解組立図である。
【００７３】
図３は、前記第１実施形態によるコネクタの内の第１コネクタの要部を拡大した斜視分解組立図である。図４は、前記第１実施形態による第１コネクタの要部を拡大した斜視分解組立図であり、図４（Ａ）は、第１カバーを第１ハウジングに取り付ける前の状態図、図４（Ｂ）は、第１カバー板を第１ハウジングに取り付けた状態図である。
【００７４】
図５は、前記第１実施形態による第２コネクタの要部を拡大した斜視分解組立図であり、図５（Ａ）は、第２カバー板を第２ハウジングに取り付ける前の状態図、図５（Ｂ）は、第２カバー板を第２ハウジングに取り付けた状態図である。
【００７５】
図６は、本発明によるコネクタの第２実施形態を示す斜視図であり、カードが装着された状態図である。
【００７６】
図７は、前記第２実施形態によるコネクタの内の第１コネクタの要部を拡大した斜視分解組立図である。図８は、前記第２実施形態による第１コネクタの要部を拡大した斜視分解組立図であり、図８（Ａ）は、第１カバー板を第１ハウジングに取り付ける前の状態図、図８（Ｂ）は、第１カバー板を第１ハウジングに取り付けた状態図である。
【００７７】
図９は、前記第２実施形態による第２コネクタの要部を拡大した斜視分解組立図であり、図９（Ａ）は、第２カバー板を第２ハウジングに取り付ける前の状態図、図９（Ｂ）は、第２カバー板を第２ハウジングに取り付けた状態図である。
【００７８】
最初に、本発明の第１実施形態によるコネクタの構成を説明する。図１又は図２を参照すると、第１実施形態によるコネクタ１００は、第１コネクタ１０、及び第２コネクタ２０を備えている。
【００７９】
図１を参照すると、第１コネクタ１０は、プリント基板１ｐの一方の面１１ｐの端部に実装しており、カード１ｃを挿入可能な第１スロット１ｓを有している。第２コネクタ２０は、プリント基板１ｐの他方の面１２ｐの端部に実装しており、カード１ｃを挿入可能な第２スロット２ｓを有している。そして、プリント基板１ｐを間にして、第１スロット１ｓと第２スロット２ｓとが略同一面上に配置されている。
【００８０】
図１又は図２を参照すると、第１コネクタ１０は、平板状の第１ハウジング１、第１コンタクト３の群、第１カバー板５、及び第１イジェクト機構７１を有している。第１ハウジング１は、カード１ｃを収容できる。第１コンタクト３の群は、第１ハウジング１の基端部に配置しており、カード１ｃに設けた端子（図示せず）と接続する。
【００８１】
図１又は図２を参照すると、第１カバー板５は、第１ハウジング１の一方の面、及び第１ハウジング１の両側面を覆っている。第１イジェクト機構７１は、第１カバー板５に連結しており、カード１ｃを排出可能となっている。
【００８２】
図１又は図２を参照すると、第２コネクタ２０は、平板状の第２ハウジング２、第２コンタクト４の群、第２カバー板６、及び第２イジェクト機構７２を有している。第２ハウジング２は、カード１ｃを収容できる。第２コンタクト４の群は、第２ハウジング２の基端部に配置しており、カード１ｃに設けた端子（図示せず）と接続する。
【００８３】
図１又は図２を参照すると、第２カバー板６は、第２ハウジング２の一方の面、及び第２ハウジング２の両側面を覆っている。第２イジェクト機構７２は、第２カバー板６に連結しており、カード１ｃを排出可能となっている。
【００８４】
図１から図９において、第１ハウジング１と第２ハウジング２、第１コンタクト３と第２コンタクト４、及び第１カバー板５と第２カバー板６は、後述するように同じ部品からなっている。又、第１イジェクト機構７１と第２イジェクト機構７２は、後述するように同じ部品群からなっている。ここで、これらの部品又は部品群は、説明の便宜上、符号を付して区別している。
【００８５】
図２を参照すると、第１ハウジング１は、基端部から先端部に向かって略平行に延びる一対のアーム１３・１３と、一対のアーム１３・１３の基端部同士を連結する連結部１４と、を有している。
【００８６】
図１又は図２を参照すると、一対のアーム１３・１３には、互いに対向しかつ先端部から基端部に至る一対の溝１３ａ・１３ａを設けている。一対の溝１３ａ・１３ａにカード１ｃの両翼が案内されて、カード１ｃを第１ハウジング１に収容できる。
【００８７】
同様に、図２を参照すると、第２ハウジング２は、基端部から先端部に向かって略平行に延びる一対のアーム２３・２３と、一対のアーム２３・２３の基端部同士を連結する連結部２４と、を有している。
【００８８】
図１又は図２を参照すると、一対のアーム２３・２３には、互いに対向しかつ先端部から基端部に至る一対の溝２３ａ・２３ａを設けている。一対の溝２３ａ・２３ａにカード１ｃの両翼が案内されて、カード１ｃを第２ハウジング２に収容できる。
【００８９】
図１又は図２を参照すると、第１コンタクト３は、第１ハウジング１の基端部に固定されている。第１コンタクト３の一端がカード１ｃの端子（図示せず）に接触してよく、第１コンタクト３の他端がプリント基板１ｐの一方の面１１ｐにはんだ接合される。
【００９０】
同様に、図１又は図２を参照すると、第２コンタクト４は、第２ハウジング２の基端部に固定されている。第２コンタクト４の一端がカード１ｃの端子（図示せず）に接触してよく、第２コンタクト４の他端がプリント基板１ｐの他方の面１２ｐにはんだ接合される。
【００９１】
図２を参照すると、第１コンタクト３と第２コンタクト４とは、同じものであるが、第１ハウジング１又は第２ハウジング２に固定する向きを反転して、プリント基板１ｐの両面に実装できる。
【００９２】
図１又は図２を参照すると、第１イジェクト機構７１は、てこ式のリンク機構を用いている。第１イジェクト機構７１は、中間の支点Ｃ１が第１カバー板５の平坦面５０と回動自在に連結する揺動レバー７１１を備えている。又、第１イジェクト機構７１は、第１スロット１ｓに隣接する第１イジェクトボタン７１ａを備えている。
【００９３】
図１又は図２を参照すると、第１イジェクトボタン７１ａを押すと、第１カバー板５の片翼にスライド自在に連結されたリンク（図示せず）の運動により、揺動レバー７１１を一方の方向に回動できる。そして、揺動レバー７１１の力点に相当する折り曲げ片がカード１ｃを排出する。
【００９４】
同様に、図１又は図２を参照すると、第２イジェクト機構７２は、てこ式のリンク機構を用いている。第２イジェクト機構７２は、中間の支点Ｃ２が第２カバー板６の平坦面６０と回動自在に連結する揺動レバー７２１（図示せず）を備えている。又、第２イジェクト機構７２は、第２スロット２ｓに隣接する第２イジェクトボタン７２ａを備えている。
【００９５】
図１又は図２を参照すると、第２イジェクトボタン７２ａを押すと、第２カバー板６の片翼にスライド自在に連結されたリンク（図示せず）の運動により、揺動レバー７２１を一方の方向に回動できる。そして、揺動レバー７２１の力点に相当する折り曲げ片がカード１ｃを排出する。
【００９６】
図１又は図２において、第１カバー板５に取り付けられた第１イジェクト機構７１は、それらの構成部品の取り付け方を反転して、第２カバー板６に取り付けている。すなわち、第１イジェクト機構７１と第２イジェクト機構７２を同じ部品群で構成できる。
【００９７】
図１又は図２に示されるように、部品群を変えることなく、第１イジェクトボタン７１ａと第２イジェクトボタン７２ａとを同じ向きに並べることができる。なお、第１イジェクト機構７１と第２イジェクト機構７２とは、互い独立して運動できる。
【００９８】
図１又は図２を参照すると、第１カバー板５は、その両翼が直角に折り曲げ加工されて、一対の両翼片を形成しており、この一対の両翼片にクランク状の鉤形開口５７を形成している。一方、第１ハウジング１は、その両側面にクランク状の鉤形突起１７を突出している。
【００９９】
同様に、図１又は図２を参照すると、第２カバー板６は、その両翼が直角に折り曲げ加工されて、一対の両翼片を形成しており、この一対の両翼片にクランク状の鉤形開口５７を形成している。一方、第２ハウジング２は、その両側面にクランク状の鉤形突起１７を突出している。
【０１００】
図３又は図４を参照すると、第１ハウジング１は、それらの両側面から隆起する一対の第１突起１５及び一対の第２突起１６を有している。なお、図３又は図４において、一方の側面に形成された第１突起１５及び第２突起１６を図示しており、他方の側面に形成された第１突起１５及び第２突起１６は、図示を割愛している。
【０１０１】
図３又は図４を参照すると、第１突起１５は、一方の方向に向かう第１傾斜面１５ａを一方の端部に設け、他方の方向に向かう第１段差１５ｂを他方の端部に設けている。第２突起１６は、一方の方向に向かう第２段差１６ｂを第１傾斜面１５ａより後方となるように、一方の端部に設けている。又、第２突起１６は、他方の方向に向かう第２傾斜面１６ａを第１段差１５ｂより前方となるように、他方の端部に設けている。
【０１０２】
そして、図２を参照すると、第１突起１５と第２突起１６とが隣接して、クランク状の鉤形突起１７に一体に合成されている。
【０１０３】
図３又は図４を参照すると、第１カバー板５は、それらの両翼片に開口される一対の第１開口５５と一対の第２開口５６を有している。なお、図３又は図４において、一方の片翼片Ｒに形成される第１開口５５及び第２開口５６を図示しており、他方の片翼片Ｌに形成される第１開口５５及び第２開口５６は、図示を割愛している。
【０１０４】
図３又は図４を参照すると、第１開口５５は、第１段差１５ｂに係止する係止辺５５ｂを設けている。又、第１開口５５は、第１傾斜面１５ａを逃げる逃げ部５５ａを設けている。第２開口５６は、係止辺５５ｂが第１段差１５ｂに係止したときに、第２突起１６を逃げるように開口している。
【０１０５】
図２又は図４を参照すると、第１カバー板５は、その両翼片にリード端子５８を有している。リード端子５８は、プリント基板１ｐに設けたスルーホール１ｔに挿入されて、はんだ接合することにより、第１カバー板５をプリント基板１ｐの一方の面１１ｐに固定できる。
【０１０６】
図５を参照すると、第２ハウジング２は、それらの両側面から隆起する一対の第１突起１５及び一対の第２突起１６を有している。なお、図５において、一方の側面に形成された第１突起１５及び第２突起１６を図示しており、他方の側面に形成された第１突起１５及び第２突起１６は、図示を割愛している。
【０１０７】
図５を参照すると、第１突起１５は、一方の方向に向かう第１傾斜面１５ａを一方の端部に設け、他方の方向に向かう第１段差１５ｂを他方の端部に設けている。第２突起１６は、一方の方向に向かう第２段差１６ｂを第１傾斜面１５ａより後方となるように、一方の端部に設けている。又、第２突起１６は、他方の方向に向かう第２傾斜面１６ａを第１段差１５ｂより前方となるように、他方の端部に設けている。
【０１０８】
そして、図２を参照すると、第１突起１５と第２突起１６とが隣接して、クランク状の鉤形突起１７に一体に合成されている。
【０１０９】
図５を参照すると、第２カバー板６は、それらの両翼片に開口される一対の第１開口５５と一対の第２開口５６を有している。なお、図５において、一方の片翼片Ｒに形成される第１開口５５及び第２開口５６を図示しており、他方の片翼片Ｌに形成される第１開口５５及び第２開口５６は、図示を割愛している。
【０１１０】
図５を参照すると、第１開口５５は、第２段差１６ｂに係止する係止辺５５ｂを設けている。又、第１開口５５は、第２傾斜面１６ａを逃げる逃げ部５５ａを設けている。第２開口５６は、係止辺５５ｂが第２段差１６ｂに係止したときに、第１突起１５を逃げるように開口している。
【０１１１】
図２又は図５を参照すると、第２カバー板６は、その両翼片にリード端子５８を有している。リード端子５８は、プリント基板１ｐに設けたスルーホール１ｔに挿入されて、はんだ接合することにより、第２カバー板６をプリント基板１ｐの他方の面１２ｐに固定できる（図４参照）。
【０１１２】
次に、本発明の第１実施形態によるコネクタ１００の作用を説明する。
【０１１３】
図４を参照すると、第１カバー板５を第１ハウジング１の一方の方向に向けて移動すると、第１カバー板５の両翼片の端縁が第１傾斜面１５ａ及び第２傾斜面１６ａにより押し広げられる。第１カバー板５を更に移動すると、一対の係止辺５５ｂ・５５ｂが第１段差１５ｂ及び第２段差１６ｂに係止できる。
【０１１４】
図４（Ｂ）に示された状態では、一対の第２開口５６・５６は、第１突起１５又は第２突起１６を逃げているので、第１カバー板５の両翼片は、初期の状態に復帰できる。つまり、一対の第２開口５６・５６は、一方の第１開口５５が第１段差１５ｂに係止するときは一方の第２突起１６を逃げ、他方の第１開口５５が第２段差１６ｂに係止するときは他方の第２突起１６を逃げている。
【０１１５】
図５を参照すると、第２カバー板６を第２ハウジング２の一方の方向に向けて移動すると、第２カバー板６の両翼片の端縁が第１傾斜面１５ａ及び第２傾斜面１６ａにより押し広げられる。第２カバー板６を更に移動すると、一対の係止辺５５ｂ・５５ｂが第１段差１５ｂ及び第２段差１６ｂに係止できる。
【０１１６】
図５（Ｂ）に示された状態では、一対の第２開口５６・５６は、第１突起１５又は第２突起１６を逃げているので、第２カバー板６の両翼片は、初期の状態に復帰できる。つまり、一対の第２開口５６・５６は、一方の第１開口５５が第１段差１５ｂに係止するときは一方の第２突起１６を逃げ、他方の第１開口５５が第２段差１６ｂに係止するときは他方の第２突起１６を逃げている。
【０１１７】
図４と図５を対比すると、第１カバー板５の左右を反転して、第２ハウジング２に結合できることが理解される。一方、第２カバー板６の左右を反転して、第１ハウジング１に結合できることも理解できる。
【０１１８】
このように、本発明の第１実施形態によるカード用コネクタ１００は、第１及び第２ハウジング１・２と第１及び第２カバー板５・６とを共通部品とすることができる。つまり、本発明の第１実施形態によるカード用コネクタ１００は、ハウジング及びカバー板が共通部品となるように、ハウジングとカバー板の結合構造を構築できる。
【０１１９】
次に、本発明の第２実施形態によるコネクタの構成を説明する。なお、以下の説明において、既に使用された符号と同じ符号の構成品は、その作用を同一とするので、説明を割愛することがある。
【０１２０】
図６を参照すると、第２実施形態によるコネクタ２００は、第１コネクタ１０、及び第２コネクタ２０を備えている。第１コネクタ１０は、プリント基板１ｐの一方の面の端部に実装しており、カード１ｃを挿入可能な第１スロット１ｓを有している。第２コネクタ２０は、プリント基板１ｐの他方の面の端部に実装しており、カード１ｃを挿入可能な第２スロット２ｓを有している。そして、プリント基板１ｐを間にして、第１スロット１ｓと第２スロット２ｓとが略同一面上に配置されている。
【０１２１】
図６から図９を参照すると、第１コネクタ１０は、平板状の第１ハウジング１、第１コンタクト３の群（図２参照）、及び第１カバー板５を有している。第１ハウジング１は、カード１ｃを収容できる。第１コンタクト３の群は、第１ハウジング１の基端部に配置しており（図２参照）、カード１ｃに設けた端子（図示せず）と接続する。第１カバー板５は、第１ハウジング１の一方の面、及び第１ハウジング１の両側面を覆っている。
【０１２２】
図６から図９を参照すると、第２コネクタ２０は、平板状の第２ハウジング２、第２コンタクト４の群（図２参照）、及び第２カバー板６を有している。第２ハウジング２は、カード１ｃを収容できる。第２コンタクト４の群は、第２ハウジング２の基端部に配置しており（図２参照）、カード１ｃに設けた端子（図示せず）と接続する。第２カバー板６は、第２ハウジング２の他方の面、及び第２ハウジング２の両側面を覆っている。
【０１２３】
図６から図９において、第１ハウジング１と第２ハウジング２、第１コンタクト３と第２コンタクト４、及び第１カバー板５と第２カバー板６は、同じ部品又は部品群からなっている。
【０１２４】
図６において、第１コネクタ１０は、第１イジェクト機構７１を含んでいる。第１イジェクト機構７１は、第１カバー板５に連結しており、カード１ｃを排出可能となっている。又、第２コネクタ２０は、第２イジェクト機構７２を含んでいる（図２参照）。第２イジェクト機構７２は、第２カバー板６に連結しており、カード１ｃを排出可能となっている。そして、第１イジェクト機構７１と第２イジェクト機構７２は、同じ部品群からなっている。
【０１２５】
図６を参照すると、第１カバー板５は、その両翼が直角に折り曲げ加工されて、一対の両翼片を形成しており、この一対の両翼片にＨ字状の第３開口５９を形成している。一方、第１ハウジング１は、その両側面から隆起する一対のＨ字状の第３突起１９を形成している。
【０１２６】
同様に、図６に明確に図示していないが、第２カバー板６は、その両翼が直角に折り曲げ加工されて、一対の両翼片を形成しており、この一対の両翼片にＨ字状の第３開口５９を形成している。一方、第２ハウジング２は、その両側面から隆起する一対のＨ字状の第３突起１９を形成している。
【０１２７】
図７又は図８を参照すると、第１ハウジング１は、それらの両側面から隆起する一対のＨ字状の第３突起１９を有している。なお、図７又は図８において、一方の側面に形成された第３突起１９を図示しており、他方の側面に形成された第３突起１９は、図示を割愛している。
【０１２８】
図７又は図８を参照すると、第３突起１９は、相反する向きに向かう一対の第３段差１９ａ・１９ｂを中央部に設けている。第３突起１９は、一方の方向に向かう一組の第３傾斜面１９ｃ・１９ｃを第３段差１９ａより前方となるように、第３段差１９ａの両翼に設けている。
【０１２９】
又、図７又は図８を参照すると、第３突起１９は、他方の方向に向かう一組の第３傾斜面１９ｄ・１９ｄを第３段差１９ｂより前方となるように、第３段差１９ｂの両翼に設けている。一組の第３傾斜面１９ｃ・１９ｃと一組の第３傾斜面１９ｄ・１９ｄとは、相反する向きに配置している。
【０１３０】
図７又は図８を参照すると、第１カバー板５は、それらの両翼片に開口された一対のＨ字状の第３開口５９を有している。なお、図７又は図８において、一方の片翼片Ｒに形成される第３開口５９を図示しており、他方の片翼片Ｌに形成される第３開口５９は、図示を割愛している。
【０１３１】
図７又は図８を参照すると、第３開口５９は、第３突起１９の第３段差１９ｂに係止する係止片５９ｂを中央部に設けている。又、第３開口５９は、第３突起１９の一対の第３傾斜面１９ｄ・１９ｄを逃げる凹部５９ｄを係止片５９ｂの両翼に設けている。
【０１３２】
図９を参照すると、第２ハウジング２は、それらの両側面から隆起する一対のＨ字状の第３突起１９を有している。なお、図９において、一方の側面に形成された第３突起１９を図示しており、他方の側面に形成された第３突起１９は、図示を割愛している。
【０１３３】
図９を参照すると、第３突起１９は、相反する向きに向かう一対の第３段差１９ａ・１９ｂを中央部に設けている。第３突起１９は、一方の方向に向かう一組の第３傾斜面１９ｃ・１９ｃを第３段差１９ａより前方となるように、第３段差１９ａの両翼に設けている。
【０１３４】
又、図９を参照すると、第３突起１９は、他方の方向に向かう一組の第３傾斜面１９ｄ・１９ｄを第３段差１９ｂより前方となるように、第３段差１９ｂの両翼に設けている。一組の第３傾斜面１９ｃ・１９ｃと一組の第３傾斜面１９ｄ・１９ｄとは、相反する向きに配置している。
【０１３５】
図９を参照すると、第２カバー板６は、それらの両翼片に開口された一対のＨ字状の第３開口５９を有している。なお、図９において、一方の片翼片Ｒに形成される第３開口５９を図示しており、他方の片翼片Ｌに形成される第３開口５９は、図示を割愛している。
【０１３６】
図９を参照すると、第３開口５９は、第３突起１９の第３段差１９ａに係止する係止片５９ａを中央部に設けている。又、第３開口５９は、第３突起１９の一対の第３傾斜面１９ｃ・１９ｃを逃げる凹部５９ｃを係止片５９ａの両翼に設けている。
【０１３７】
次に、本発明の第２実施形態によるコネクタ２００の作用を説明する。
【０１３８】
図８を参照すると、第１カバー板５を第１ハウジング１の一方の方向に向けて移動すると、第１カバー板５の両翼片の端縁が一対一組の第３傾斜面１９ｃ・１９ｃにより押し広げられる。第１カバー板５を更に移動すると、係止片５９ｂを第３段差１９ｂに係止できる。
【０１３９】
図８（Ｂ）に示された状態では、一対の第３開口５９に設けられた凹部５９ｄは、一組の第３傾斜面１９ｄ・１９ｄを逃げているので、第１カバー板５の両翼片は、初期の状態に復帰できる。つまり、一対の第３開口５９・５９は、係止片５９ｂが第３段差１９ｂに係止するときは、一組の第３傾斜面１９ｃ・１９ｃ及び第３傾斜面１９ｄ・１９ｄを逃げている。
【０１４０】
図９を参照すると、第２カバー板６を第２ハウジング２の一方の方向に向けて移動すると、第２カバー板６の両翼片の端縁が一対一組の第３傾斜面１９ｄ・１９ｄにより押し広げられる。第２カバー板６を更に移動すると、係止片５９ａを第３段差１９ａに係止できる。
【０１４１】
図９（Ｂ）に示された状態では、一対の第３開口５９に設けられた凹部５９ｃは、一組の第３傾斜面１９ｃ・１９ｃを逃げているので、第２カバー板６の両翼片は、初期の状態に復帰できる。つまり、一対の第３開口５９・５９は、係止片５９ａが第３段差１９ａに係止するときは、一組の第３傾斜面１９ｃ・１９ｃ及び第３傾斜面１９ｄ・１９ｄを逃げている。
【０１４２】
図８と図９を対比すると、第１カバー板５の左右を反転して、第２ハウジング２に結合できることが理解される。一方、第２カバー板６の左右を反転して、第１ハウジング１に結合できることも理解できる。
【０１４３】
このように、本発明の第２実施形態によるカード用コネクタ２００は、第１及び第２ハウジング１・２と第１及び第２カバー板５・６とを共通部品とすることができる。つまり、本発明の第２実施形態によるカード用コネクタ２００は、ハウジング及びカバー板が共通部品となるように、ハウジングとカバー板の結合構造を構築できる。
【０１４４】
本発明の実施形態によるカード用コネクタは、ハウジングとカバー板の結合構造において、ハウジングの両側面に設ける突起（ディテント）及びカバー板の両翼に設ける開口（インデント）の各形状をクランク状の鉤形、又はＨ字状の形状とすることにより、構成部品の共通化が可能なカード用コネクタを実現できる。
【図面の簡単な説明】
【０１４５】
【図１】本発明によるカード用コネクタの第１実施形態を示す斜視図であり、カードが装着された状態図である。
【図２】前記第１実施形態によるカード用コネクタの斜視分解組立図である。
【図３】前記第１実施形態によるカード用コネクタの内の第１コネクタの要部を拡大した斜視分解組立図である。
【図４】前記第１実施形態による第１コネクタの要部を拡大した斜視分解組立図である。
【図５】前記第１実施形態による第２コネクタの要部を拡大した斜視分解組立図である。
【図６】本発明によるカード用コネクタの第２実施形態を示す斜視図であり、カードが装着された状態図である。
【図７】前記第２実施形態によるカード用コネクタの内の第１コネクタの要部を拡大した斜視分解組立図である。
【図８】前記第２実施形態による第１コネクタの要部を拡大した斜視分解組立図である。
【図９】前記第２実施形態による第２コネクタの要部を拡大した斜視分解組立図である。
【図１０】従来技術によるカード用コネクタの部分拡大斜視図である。
【図１１】従来技術によるカード用コネクタの部分拡大斜視図である。
【符号の説明】
【０１４６】
１  第１ハウジング
１ｃ  カード
１ｐ  プリント基板
１ｓ  第１スロット
２  第２ハウジング
２ｓ  第２スロット
３  第１コンタクト
４  第２コンタクト
５  第１カバー板
６  第２カバー板
１０  第１コネクタ（第１カード用コネクタ）
１１ｐ  一方の面（プリント基板の一方の面）
１２ｐ  他方の面（プリント基板の他方の面）
１５  第１突起
１５ａ  第１傾斜面
１５ｂ  第１段差
１６  第２突起
１６ａ  第２傾斜面
１６ｂ  第２段差
２０  第２コネクタ（第２カード用コネクタ）
５５  第１開口
５５ａ  逃げ部
５５ｂ  係止辺
５６  第２開口
１００  コネクタ（カード用コネクタ）
【図１】
2010123482.tif 000003
【図２】
2010123482.tif 000004
【図３】
2010123482.tif 000005
【図４】
2010123482.tif 000006
【図５】
2010123482.tif 000007
【図６】
2010123482.tif 000008
【図７】
2010123482.tif 000009
【図８】
2010123482.tif 000010
【図９】
2010123482.tif 000011
【図１０】
2010123482.tif 000012
【図１１】
2010123482.tif 000013